(57)【要約】【課題】  コストを上げることなく、小型化、軽量化を図るとともに、表示部の耐衝撃性の向上を図ることができる携帯電話機を提供すること。【解決手段】  複数の透過性材料を有する表示部９を備える電子機器において、複数の透過性材料は一部を重ねて配置し、表示部９の非表示側に補強部１０を有し、補強部１０は、平板１０ａと複数のリブ１０ｆとを備え、平板１０ａは、表示部９に当接して平面で支持するように配置するとともに、複数のリブ１０ｆは、複数の透過性材料９ａ，９ｂの重なり端部９ｅを跨いで配置することを特徴とする。【選択図】    図４
2006237949.tif 000002
【特許請求の範囲】
【請求項１】
複数の透過性材料を有する表示部を備える電子機器において、
前記複数の透過性材料は一部を重ねて配置し、
前記表示部の非表示側に補強部を有し、
前記補強部は、複数のリブとを備え、前記表示部を面支持するとともに、
前記複数のリブは、前記複数の透過性材料の重なり端部を跨いで配置することを特徴とする電子機器。
【請求項２】
前記補強部は、前記表示部の他方の重なり端部側にさらに他のリブを備えることを特徴とする請求項１記載の電子機器。
【請求項３】
前記リブと前記他のリブとの間に、副表示部を配置することを特徴とする請求項１または２記載の電子機器。
【請求項４】
前記リブと重なる位置に電子部品を配置し、
前記電子部品は、筐体の一部と当接することを特徴とする請求項１から３のいずれか一項に記載の電子機器。
【発明の詳細な説明】
【技術分野】
【０００１】
本発明は、電子機器に関するものであり、特に、携帯電話機等の携行可能な電子機器に関するものである。
【背景技術】
【０００２】
近年、携行可能な電子機器、例えば携帯電話機は、小型化、軽量化されたことによってユーザが片手でも気軽に使用できる等携帯性に優れたものとなっている。その反面、ユーザがこの携帯電話機を使用時に過って落下させてしまった場合には、小型化、軽量化しているがゆえに、衝撃によって構成部品が破損しやすくなっている。特に大型化している表示部が損傷した場合には、携帯電話機としての機能を発揮できなくなることもある。そこで、携帯電話機の表示部の耐衝撃性を向上させるため、表示部上に耐衝撃性を有する保護ガラスを装着した技術が提案されている（特許文献１参照）。
【特許文献１】特開平０９−００８６９０号公報
【発明の開示】
【発明が解決しようとする課題】
【０００３】
ところが、前記表示部の耐衝撃性を向上させるため、保護ガラスの肉厚を増加したり硬度の高い材料を使用すると、小型化、軽量化に逆行してしまう。一方、薄型で硬質の保護ガラスを採用すると、その保護ガラスが高価であることから、携帯電話機のコストアップにつながる。そこで、コストを上げることなく小型化、軽量化を図りつつ、表示部を外部の衝撃から保護できるような携帯電話機が求められている。
【０００４】
本発明は、このような事情を考慮してなされたもので、コストを上げることなく、小型化、軽量化を図るとともに、表示部の耐衝撃性の向上を図ることができる携帯電話機を提供することを目的とする。
【課題を解決するための手段】
【０００５】
本発明は、上記課題を解決するため、以下の手段を採用する。すなわち本発明は、複数の透過性材料を有する表示部を備える電子機器において、前記複数の透過性材料は一部を重ねて配置し、前記表示部の非表示側に補強部を有し、前記補強部は、複数のリブとを備え、前記表示部を面支持するとともに、前記複数のリブは、前記複数の透過性材料の重なり端部を跨いで配置することを特徴とする。
【０００６】
また、本発明の電子機器において、前記補強部は、前記表示部の他方の重なり端部側にさらに他のリブを備えることを特徴とする。
【０００７】
また、本発明の電子機器において、前記リブと前記他のリブとの間に、副表示部を配置することを特徴とする。
【０００８】
また、本発明の電子機器において、前記リブと重なる位置に電子部品を配置し、前記電子部品は、筐体の一部と当接することを特徴とする。
【発明の効果】
【０００９】
本発明の電子機器によれば、表示部を面支持するように補強部を配置するとともに、補強部に設けられた複数のリブを透過性材料の重なり端部を跨いで配置することで、これら複数のリブ間の重なり端部に荷重が加わっても、その荷重を平板およびリブで受けることとなる。その結果、表示部を保護する保護ガラスの肉厚を増加したり硬度の高い材料を使用する必要がなくなるとともに、薄型で硬質の高価な保護ガラスを採用する必要もない。したがって、コストを上げることなく、小型化、軽量化を図るとともに、表示部の耐衝撃性の向上を図ることができる。
【発明を実施するための最良の形態】
【００１０】
以下、本発明の実施の形態について、図１〜図１１を参照して説明する。なお、本実施の形態においては、携帯電話機について説明するものであるが、本発明の電子機器は、携帯電話機に限定するものではなく、携行可能な電子機器にも適用可能である。
図１は、携帯電話機１の斜視図である。この携帯電話機１は、２つの筐体、すなわち第１の筐体２と第２の筐体３とからなる開閉型の携帯電話機である。第１の筐体２の基端にはヒンジ部４が設けられており、このヒンジ部４に第２の筐体３の基端が回動可能に取り付けられている。したがって、図１に示すように、携帯電話機１を閉じた状態では、第１の筐体２が上側に配置されるとともに、第２の筐体３が下側に配置され、これらの第１の筐体２および第２の筐体３の内面が重なり合っている。
【００１１】
図２は、第１の筐体２を分解した図である。第１の筐体２は、箱部５と蓋部６とに上下方向に分割可能に構成されている。
箱部５の底面には、透明板からなるＬＣＤ表示窓７が下側から取り付けられ、また、この底面上部の周縁には、弾性部材からなりＬＣＤ表示窓７の周縁を保護する保護材５ａが貼り付けられている。
【００１２】
箱部５には、ＬＣＤ表示窓７及び保護材５ａを囲うように壁部８が形成されている。この壁部８の外面には、蓋部６を取り付けるための複数、例えば４箇所の凹部８ａが設けられている。また、壁部８の外面には、後述するサブＬＣＤ１２を取り付けるための複数、例えば２箇所の凹部８ｂが設けられている。なお、蓋部６の内面にはこれら凹部８ａに対応する複数、例えば４箇所の凸部（図示せず）が設けられている。
また、壁部８の基端側には、壁面上部の一部を切欠いた切欠き部８ｄが形成されており、後述するＬＣＤ補強板１０（補強部）を箱部５に取り付ける際、この切欠き部８ｄにＬＣＤ補強板１０の突出部１０ｃが挿入されて、ＬＣＤ補強板１０が箱部５に位置決めされる。
【００１３】
また、箱部５の上側には、所定の厚さを有する矩形状に構成されたＬＣＤ９（表示部）が設置されている。このＬＣＤ９は、図４（図３のＡ−Ａ断面）に示すように、複数の透過性材料からなる積層部９ａ，９ｂ，９ｃを備え、これら積層部９ａ，９ｂ，９ｃの一部を重ねて配置した構成となっている。これら積層部９ａ，９ｂ，９ｃのうち、最も表示側に配置された積層部９ａが他の積層部９ｂ，９ｃよりも短くなっており、また、この積層部９ａの外側には所定の間隔をおいてＬＣＤドライバ９ｄが設置されている。
積層部９ａの両端部９ｅ，９ｆ（重なり端部、他の重なり端部）及びＬＣＤドライバ９ｄは、いずれも保護材５ａを介して箱部５に支持されている。
【００１４】
ＬＣＤ９の上部、すなわちＬＣＤ９の非表示側には、このＬＣＤ９を保護するＬＣＤ補強板１０が設置されている。ここで、ＬＣＤ補強板１０は、図５に示すように、矩形に形成された平板部１０ａと、その両端にＬＣＤ９の長手方向に沿って延在するとともにＬＣＤ表示窓７側に突出して箱部５に当接した側板部１０ｂと、平板部１０ａの長手方向の一端から外方に突出した突出部１０ｃとを備えた構成となっている。また、平板部１０ａの長手方向両端にはリブ１０ｄが形成されるとともに、幅方向両端には複数、例えば２本のリブ１０ｅ，１０ｆがそれぞれ形成されている。また、一方の２本のリブ１０ｆの両端をつなぐように、２本のリブ１０ｆと直交する方向にリブ１０ｇが形成されている。また、これらリブ１０ｆは、先端側の重なり端部を跨ぐように配置されている。
【００１５】
また、ＬＣＤ補強板１０のリブ１０ｄ，１０ｅ，１０ｆ，１０ｇの上部には、図６に示すように、箱状のコネクタ１１ａ（電子部品）を有する基板１１が設置されるとともに、リブ１０ｅとリブ１０ｆとの間にサブＬＣＤ１２が設置されている。サブＬＣＤ１２の幅方向両端には、壁部８の凹部８ｂに対応する複数、例えば２箇所の突出部１２ａが設けられている。
このサブＬＣＤ１２は、図４に示すように、２つの透過性材料からなる積層部１２ｂ，１２ｃを備えた構成となっている。これら２つの積層部１２ｂ，１２ｃのうち、最も表示側に配置された積層部１２ｂが他の積層部１２ｃよりも短くなっている。
また、積層部１２ｂの両端部１２ｄ，１２ｅは、いずれも後述する保護材１４を介して蓋部６に支持されている。
これらＬＣＤ９、ＬＣＤ補強板１０、基板１１及びサブＬＣＤ１２は、蓋部６を箱部５に取り付けたとき、蓋部６に覆われた状態で第１の筐体２に収容される。
【００１６】
蓋部６の裏面には、図７，図８及び図１０（図３のＥ−Ｅ断面）に示すように、リブ６ａが形成されており、蓋部６を箱部５に取り付けたとき、リブ１０ｅ上に設置された基板１１及び基板１１のコネクタ１１ａに当接するようになっている。また、基板１１上に設けられた他の電子部品１１ｂ，１１ｃは、図９に示すように、リブ１０ｅ上またはリブ１０ｅ間を跨ぐように設置されている。
【００１７】
また、蓋部６の基端側には、撮像部用の開口部６ｂが設けられている。また、蓋部６の中央には凹部６ｃが形成されるとともに、この凹部６ｃにはサブＬＣＤ１２を表示するための開口部６ｄが設けられている。また、凹部６ｃには、開口部６ｄを覆うようにサブＬＣＤ表示窓１３が取り付けられている。このサブＬＣＤ表示窓１３は、凹部６ｃに取り付けたとき蓋部６の表面と同一平面をなすようになっている。
また、凹部６ｃの下側には、弾性部材からなりサブＬＣＤ１２の周縁を保護する保護材１４が取り付けられている。
【００１８】
箱部５の基端側には、撮像部１４及び２つの音響用スピーカ１５を保持する保持部１６が装着されている。この保持部１６には、中央に撮像部１４が取り付けられ、その両端に２つの音響用スピーカ１５が取り付けられている。これら撮像部１４及び音響用スピーカ１５において、撮像部１４が箱部５の基端側の中央に回動可能に配置されるとともに、音響用スピーカ１５が撮像部１４の両側に固定配置されている。
撮像部１４は、蓋部６に設けられた撮像部用の開口部６ｂを向くように配置されており、また、２つの音響用スピーカ１５は、いずれも箱部５の底面に設けられた図示しない開口部を向くように配置されている。
【００１９】
また、箱部５の基端には、箱部５の幅方向に稼動可能な操作部１７が取り付けられている。この操作部１７は、撮像部１４に設けられた軸部１４ａを介して接続されており、箱部５の幅方向に稼動させると撮像部１４が回動し、撮像モードを通常モード／マクロモードに切り替え可能となる。
さらに、箱部５の先端側には、受信した音声信号を出力するレシーバ１８が取り付けられている。このレシーバ１８は、箱部５の底面に設けられた図示しない開口部を向くように固定配置されている。
【００２０】
上記の構成からなる携帯電話機１において、蓋部６またはサブＬＣＤ表示窓１３に対して外部から荷重が加わった場合には、図１０に示すように、その荷重が蓋部６のリブ６ａに分散され、それらリブ６ａからコネクタ１１ａを介してまたは直接基板１１に伝達され、ＬＣＤ補強板１０に伝達される。そして、その荷重がＬＣＤ補強板１０から箱部５に直接伝達される。このとき、サブＬＣＤ１２及びＬＣＤ９への荷重の伝達が回避される。
【００２１】
また、サブＬＣＤ１２に直接荷重が加わった場合には、図１１に示すように、その荷重が突出部１２ａを介して箱部５に伝達される。また、サブＬＣＤ１２に当接したＬＣＤ補強板１０にも伝達される。このとき、サブＬＣＤ１２にかかる荷重によるサブＬＣＤ１２のたわみが軽減されるとともに、ＬＣＤ９への荷重の伝達が回避される。したがって、サブＬＣＤ１２に直接荷重が加わっても、サブＬＣＤ１２の損傷を防止することができる。また、このサブＬＣＤ１２がリブ１０ｄ，１０ｅ，１０ｆの間に配置されたことで、サブＬＣＤ１２への荷重の伝達が抑制されるとともに、第１の筐体２の厚み低減も可能となる。
【００２２】
したがって、サブＬＣＤ１２及びＬＣＤ９の耐衝撃性を向上させるために、サブＬＣＤ１２及びＬＣＤ９を保護する保護ガラスの肉厚を増加したり硬度の高い材料を使用する必要がなくなるとともに、薄型で硬質の高価な保護ガラスを採用する必要もない。これによって、コストを上げることなく、小型化、軽量化を図るとともに、表示部の耐衝撃性の向上を図ることができる。
【００２３】
また、ＬＣＤ９に外部から荷重が加わった場合、その荷重がＬＣＤ補強板１０を介して基板１１に伝達され、基板１１のコネクタ１１ａに当接した蓋部６のリブ６ａを介して蓋部６に伝達される。このとき、ＬＣＤ９がＬＣＤ補強板１０に平面で支持されていることで、ＬＣＤ９のたわみが抑制されるため、曲げにより重なり端部９ｅ，９ｆに集中する応力が軽減される。これにより、ＬＣＤ９の重なり端部９ｅ，９ｆにおける損傷を防止することができる。
【００２４】
なお、上記実施の形態において、基板１１に搭載された電子部品としてコネクタ１１ａを用いているが、これに限定することなく、蓋部６のリブ６ａに当接するのであれば、別の電子部品を用いてもよい。
また、上記実施の形態において、ＬＣＤ補強板１０は、ＬＣＤ９を平面で支持するに限ることなく、ＬＣＤ９のたわみを軽減するために、面支持していればよい。
【図面の簡単な説明】
【００２５】
【図１】本発明における実施の形態に係る携帯電話機の斜視図である。
【図２】図１の携帯電話機の第１の筐体を分解した図である。
【図３】携帯電話機の平面図である。
【図４】図３のＡ−Ａ断面図である。
【図５】ＬＣＤ補強板の平面図である。
【図６】基板の平面図である。
【図７】蓋部の横リブとコネクタとが当接した状態を示す部分断面図である。
【図８】蓋部の縦リブとコネクタとが当接した状態を示す部分断面図である。
【図９】ＬＣＤ補強板のリブに基板が載置された状態を示す部分断面図である。
【図１０】図３のＥ−Ｅ断面図である。
【図１１】サブＬＣＤにかかる荷重の伝達方向を示す部分斜視図である。
【符号の説明】
【００２６】
１  携帯電話機
２  第１の筐体（筐体）
３  第２の筐体（筐体）
５  箱部
６  蓋部
８  壁部
９  ＬＣＤ（表示部）
１０  ＬＣＤ補強板（補強部）
１０ａ  平板
１０ｅ，１０ｆ  リブ
１１  基板
１１ａ  コネクタ（電子部品）
１２  サブＬＣＤ（副表示部）
【図１】
2006237949.tif 000003
【図２】
2006237949.tif 000004
【図３】
2006237949.tif 000005
【図４】
2006237949.tif 000006
【図５】
2006237949.tif 000007
【図６】
2006237949.tif 000008
【図７】
2006237949.tif 000009
【図８】
2006237949.tif 000010
【図９】
2006237949.tif 000011
【図１０】
2006237949.tif 000012
【図１１】
2006237949.tif 000013